(57)【要約】【課題】調理業者による調理の可否をも判断して、注文後に調理業者によって調理され、配送業者によって配送される料理の配送を予約する料理配送予約システムを提供すること。【解決手段】調理業者に係る制約と配送業者に係る制約とに基づいて配送可能時間帯を求める時間帯計算部１２と、配送可能時間帯を注文者端末機に表示して注文者に配送時間帯の選択を求める時間帯選択部１３とを備え、各々の注文者について、前記時間帯計算部１２及び前記時間帯選択部１３を、所定のタイミングで再起動する料理配送予約システム１を提供する。タイミングを調整して、また、１の注文者の配送時間帯が変更されることにより、他の注文者の配送可能時間帯が変動することに対応することができる。【選択図】図１
2020060934.tif 000002
【特許請求の範囲】
【請求項１】
注文後に調理業者によって調理され、配送業者によって配送される料理の配送を予約する料理配送予約システムであって、
注文する料理を選択する料理選択部と、
選択された前記料理について、前記調理業者に係る制約と前記配送業者に係る制約とに基づいて配送可能時間帯を求める時間帯計算部と、
前記配送可能時間帯を注文者端末機に表示して注文者に配送時間帯の選択を求める時間帯選択部とを備え、
各々の注文者について、前記時間帯計算部及び前記時間帯選択部を、所定のタイミングで再起動することを特徴とする、料理配送予約システム。
【請求項２】
前記所定のタイミングは、最初の前記表示の後、５分以下の時間長の周期的なタイミングを含むことを特徴とする、請求項１に記載の料理配送予約システム。
【請求項３】
前記所定のタイミングは、各々の注文者以外の注文者による前記配送時間帯の選択の行われたタイミングを含むことを特徴とする、請求項１又は２に記載の料理配送予約システム。
【請求項４】
前記時間帯選択部は、前記注文者端末機からの表示要求を受けて前記配送可能時間帯を前記注文者端末機に表示し、再起動から前記表示要求までの間は前記配送可能時間帯の表示を更新しないことを特徴とする、請求項１〜３のいずれか１項に記載の料理配送予約システム。
【請求項５】
注文者が前記表示の後所定の時間内に前記配送時間帯の選択を行わない場合には、当該注文者の注文をキャンセルすることを特徴とする、請求項１〜４のいずれか１項に記載の料理配送予約システム。
【請求項６】
前記調理業者に係る前記制約は、前記調理業者の厨房機器の利用可能性及び前記調理業者の調理人のスケジュールを含むことを特徴とする、請求項１〜５のいずれか１項に記載の料理配送予約システム。
【請求項７】
前記配送業者に係る前記制約は、前記配送業者の配送車両のスケジュール及び前記注文者に依存する配送先の地理的位置を含むことを特徴とする、請求項１〜６のいずれか１項に記載の料理配送予約システム。
【発明の詳細な説明】
【技術分野】
【０００１】
本発明は、注文後に調理業者によって調理され、配送業者によって配送される料理の配送を予約する料理配送予約システムに関する。
【背景技術】
【０００２】
注文者が注文した物を好ましい時間帯に配送するシステム（例えば特許文献１）が知られている。かかるシステムは、配送業者による配送の可否を判断する。ここで、注文した物が温料理である場合、調理の後短時間で配送しなければ冷めてしまうので、配送業者による配送の可否のみならず、調理業者による調理の可否をも判断する必要がある。この点、特許文献２には、複数の調理センターがある場合に、それらを有効活用して多くの注文に対応するシステムが開示されているが、調理業者と配送業者とを合わせて最適化するものではない。
【０００３】
また、１の注文者の配送時間帯が変更されることにより、他の注文者の配送可能時間帯が変動する。特に、１の注文者の配送時間帯が確定されることにより、他の注文者の配送可能時間帯が拡張されることがある。この場合に、他の注文者に拡張された配送可能時間帯を伝達するシステムは知られていなかった。
【先行技術文献】
【特許文献】
【０００４】
【特許文献１】特開２００８−００９６７０号公報
【特許文献２】特開２００３−２６３４８０号公報
【発明の概要】
【発明が解決しようとする課題】
【０００５】
本発明は、調理業者による調理の可否をも判断して、注文後に調理業者によって調理され、配送業者によって配送される料理の配送を予約する料理配送予約システムを提供することを課題とする。
【０００６】
本発明はまた、１の注文者の配送時間帯が変更されることにより、他の注文者の配送可能時間帯が変動すること、特に他の注文者の配送可能時間帯が拡張されることに関し、他の注文者に拡張された配送可能時間帯を提示する料理配送予約システムを提供することを副次的な課題とする。
【課題を解決するための手段】
【０００７】
本発明の料理配送予約システムは、
注文後に調理業者によって調理され、配送業者によって配送される料理の配送を予約する料理配送予約システムであって、
注文する料理を選択する料理選択部と、
選択された前記料理について、前記調理業者に係る制約と前記配送業者に係る制約とに基づいて配送可能時間帯を求める時間帯計算部と、
前記配送可能時間帯を注文者端末機に表示して注文者に配送時間帯の選択を求める時間帯選択部とを備え、
各々の注文者について、前記時間帯計算部及び前記時間帯選択部を、所定のタイミングで再起動することを特徴とする。
【０００８】
この特徴によれば、配送業者による配送の可否のみならず、調理業者による調理の可否をも判断し、１の注文者の配送時間帯が変更された時に他の注文者に拡張された配送可能時間帯を提示する料理配送予約システムが提供される。
【０００９】
本発明の料理配送予約システムは、
前記所定のタイミングは、最初の前記表示の後、５分以下の時間長の周期的なタイミングを含むことを特徴とする。
【００１０】
この特徴によれば、配送可能時間帯が短時間で更新され、注文者の利便に資する。
【００１１】
本発明の料理配送予約システムは、
前記所定のタイミングは、各々の注文者以外の注文者による前記配送時間帯の選択の行われたタイミングを含むことを特徴とする。
【００１２】
この特徴によれば、配送可能時間帯の変化を、即座に表示することができる。
【００１３】
本発明の料理配送予約システムは、
前記時間帯選択部は、前記注文者端末機からの表示要求を受けて前記配送可能時間帯を前記注文者端末機に表示し、再起動から前記表示要求までの間は前記配送可能時間帯の表示を更新しないことを特徴とする。
【００１４】
この特徴によれば、配送可能時間帯の変化を、注文者の希望する時に表示することができる。
【００１５】
本発明の料理配送予約システムは、
注文者が前記表示の後所定の時間内に前記配送時間帯の選択を行わない場合には、当該注文者の注文をキャンセルすることを特徴とする。
【００１６】
この特徴によれば、注文者が長時間にわたり配送時間帯の選択を行わないことによって、他の注文者の配送可能時間帯が制約されてしまうことを防止することができる。
【００１７】
本発明の料理配送予約システムは、
前記調理業者に係る前記制約は、前記調理業者の厨房機器の利用可能性及び前記調理業者の調理人のスケジュールを含むことを特徴とする。
【００１８】
この特徴によれば、多くの調理業者に関する制約を処理することができる。
【００１９】
本発明の料理配送予約システムは、
前記配送業者に係る前記制約は、前記配送業者の配送車両のスケジュール及び前記注文者に依存する配送先の地理的位置を含むことを特徴とする。
【００２０】
この特徴によれば、多くの配送業者に関する制約を処理することができる。
【発明の効果】
【００２１】
本発明によれば、配送業者による配送の可否のみならず、調理業者による調理の可否をも判断して、注文後に調理業者によって調理され、配送業者によって配送される料理の配送を予約する料理配送予約システムを提供することができる。
【００２２】
また、１の注文者の配送時間帯が変更されることにより、他の注文者の配送可能時間帯が変動すること、特に他の注文者の配送可能時間帯が拡張されることに関し、他の注文者に拡張された配送可能時間帯を提示する料理配送予約システムを提供することができる。
【図面の簡単な説明】
【００２３】
【図１】図１は、料理配送予約システムの構成を示す図である。
【図２】図２は、時間帯選択部による注文者端末機の表示の例を示す図である。
【図３】図３は、料理データの例を示す図である。
【図４】図４は、配送業者データの例を示す図である。
【図５】図５は、調理業者データの例を示す図である。
【図６】図６は、時間帯選択部による注文者端末機の表示の例を示す図である。
【図７】図７は、配送業者データの例を示す図である。
【図８】図８は、調理業者データの例を示す図である。
【図９】図９は、時間帯選択部による注文者端末機の表示の例を示す図である。
【発明を実施するための形態】
【００２４】
以下、本発明の実施例を説明する。
【００２５】
図１は、料理配送予約システムの構成を示す図である。料理配送予約システム１が、ネットワーク（非図示）を介して、注文者端末機２、調理業者端末機３及び配送業者端末機４に接続されている。ここで、調理業者端末機３及び配送業者端末機４は、調理業者及び配送業者の端末機であり、事前に決定されている。注文者端末機２は、注文を思い立った注文者が料理配送予約システム１の提供するインターネットのホームページにアクセスしている端末機である。なお、インターネットのホームページにアクセスしている端末機に限定されず、例えば注文用のアプリケーションソフトウエアをインストールしている端末機でもよい。事前に決定されるものでなく、様々な機器が注文者端末機２となり得る。また、同時に多数の注文者端末機２が存在し得る。
【００２６】
料理配送予約システム１は、料理選択部１１、時間帯計算部１２、時間帯選択部１３、再起動判定部１４及び注文送信部１５を備え、料理データ１６、調理業者データ１７及び配送業者データ１８を保持している。
【００２７】
料理選択部１１は、インターネットのホームページの有する機能であり、注文者端末機２を介して注文者に注文する料理の選択を行わせる。
【００２８】
時間帯計算部１２は、料理選択部１１において選択された料理について、調理して配送することが可能な時間帯を求める。
【００２９】
時間帯選択部１３は、インターネットのホームページの有する機能であり、時間帯計算部１２において配送することが可能とされた時間帯を表示し、注文者端末機２を介して注文者に時間帯の選択を行わせる。
【００３０】
再起動判定部１４は、時間帯計算部１２及び時間帯選択部１３を再起動すべきタイミングを決定し、そのタイミングにおいて、時間帯計算部１２及び時間帯選択部１３を再起動する。なお、複数の注文者端末２がある場合（複数の注文者がいる場合）には、再起動すべきタイミングは、注文者端末２（注文者）毎にそれぞれ決定される。
【００３１】
注文送信部１５は、時間帯選択部１３において選択された時間帯に料理が配送されるように、選択された料理及び調理すべき時間の情報を調理業者端末機３に、配送元の調理者、配送先の注文者及び配送すべき時間の情報を配送業者端末機４に、それぞれ送信する。
【００３２】
料理データ１６は、注文対象の料理の各々について、厨房機器の利用時間及び調理人の所要時間を含むデータである。
【００３３】
調理業者データ１７は、調理業者（複数の調理業者がある場合にはその各々）について、その厨房機器及び調理人の稼働する（又は時間帯選択部１３において選択された時間帯によって稼働する可能性のある）時間を含むデータである。
【００３４】
配送業者データ１８は、配送業者（複数の配送業者がある場合にはその各々）について、その配送車両の稼働する（又は時間帯選択部１３において選択された時間帯によって稼働する可能性のある）時間を含むデータである。この時間は、配送先の地理的位置に依存して変動する。
【００３５】
図２は、時間帯選択部による注文者端末機の表示の例を示す図である。時間帯選択部１３は、注文者端末機２に図のように表示し、注文者に表示された時間帯のうちの１つを選択（例えばマウスのクリック、タッチパネルのタップ）させる。なお、後述の表示要求をするためのボタン（例えば「更新」と書かれたボタン）を設けてもよい。
【００３６】
図２は、注文者がステーキディナーを１７：００〜２１：００の間に配送するように指定した場合のものである。３０分刻みで配送可能時間が示されている。ただし、１８：３０〜１９：００及び１９：３０〜２０：００については、時間帯計算部１２によって配送可能ではないとの判断がなされ、表示から除外されている。注文者は、この表示を見て、配送を希望する時間帯を選択する。
【００３７】
なお、「３０分刻み」とした点については、料理配送予約システム１の設計として、より詳細としても、よりおおまかとしてもよい。
【００３８】
以下、具体的なデータに基づいて、料理配送予約システム１の処理を詳細に説明する。ただし、本実施例のデータ及び処理手順は、説明に必要な範囲に集約したものであり、実際には、本実施例と同様にして（必要であれば別の処理手順で）より多くのデータを処理可能である。本発明の技術的範囲は以下に示すデータ又は処理手順によって限定されるものではない。
【００３９】
図３は、料理データの例を示す図である。本実施例では、料理としてピザ及びパスタのみがあるものとし、ピザは、調理人が３０分作業した後にオーブンを３０分使用して調理するものとする。パスタは、調理人が３０分作業して調理するものとする。
【００４０】
今、注文者Ａから１７：００〜１９：００の間にピザを配送する旨の注文があり、その後に注文者Ｂから１８：００〜２０：００の間にピザを配送する旨の注文があった（かかる注文を料理選択部１１が受けた）ものとする。このように、料理選択部１１は、配送希望時間を合わせて受けるものとする。
【００４１】
図４は、配送業者データの例を示す図である。１のみの配送業者があり、２台の配送車（Ｘ、Ｙ）を備えているものとする。時間帯計算部１２は、配送車が、配送基地→調理業者→注文者→配送基地と移動するものとし、注文者Ａ、Ｂへの配送に要する時間を求める。本実施例では、いずれも３０分であるものとする。
【００４２】
時間帯計算部１２は、求めた時間を配送業者データ１８に追加する。図４（Ａ）において、注文者Ａに１７：００〜１７：３０に配送するために配送車Ｘの１７：００〜１７：３０の時間が「予約」されている。他の配送車及び時間帯についても同様である。
【００４３】
ここで、「予約（Ａ）」は、注文者Ａが配送時間帯を選択した際に配送車が手配できるように、配送車の時間を仮押さえした（他の注文者に割り当てないこととした）ものである。本実施例では、２台の配送車によって、注文者Ａ、Ｂ双方の配送車が予約される。
【００４４】
図５は、調理業者データの例を示す図である。１のみの調理業者があり、１台のオーブンがあり、２人の調理人（Ｐ、Ｑ）がいるものとする。時間帯計算部１２は、配送車の出発時刻までに、かつ、配送車の出発時刻の１０分前よりも後に、調理が完了するように、料理データ１６を参照して、オーブン（厨房機器）及び調理人の時間を求める。
【００４５】
時間帯計算部１２は、求めた時間を調理業者データ１７に追加する。図５（Ａ）において、注文者Ａに１７：００〜１７：３０に配送するために調理人Pの１６：００〜１６：３０の時間、及び、オーブンの１６：３０〜１７：００の時間が「予約」されている。１７：００の調理を完成させ、１７：００〜１７：３０の時間に配送車Ｘによって配送するものである。他の調理人及び時間帯についても同様である。
【００４６】
ここで、「予約」は、注文者が配送時間帯を選択した際に厨房機器及び調理人が手配できるように、厨房機器及び調理人の時間を仮押さえした（他の注文者に割り当てないこととした）ものである。
【００４７】
本実施例では、オーブンについて、１７：３０〜１８：００及び１８：００〜１８：３０の間、注文者Ａについて予約されており、注文者Ｂについては予約することができない。かかる注文したが予約ができない状態を「希望」で表す。
【００４８】
注文者Ｂについて予約することができないのは、オーブンがピザを１枚しか同時に焼けないとしたものである。オーブンが２枚以上のピザを同時に焼けるのであれば、注文者Ａ、Ｂ双方のオーブンが予約される。
【００４９】
以上のように、厨房機器（本実施例ではオーブンのみであるが、他の機器を含んでよい。）については、その能力に応じて調理業者データ１７の内容を定めることができる。能力でなく設定（例えばオーブンの温度）についても同様である。例えば、料理に「豚肉のオーブン焼き」があり、ピザとは異なる温度に設定するとする場合、２枚のピザを同時に焼くことや２枚の豚肉を同時に焼くことはできるが、１枚のピザと１枚の豚肉を同時に焼くことはできない。かかる設定は、料理データ１６にデータを保持して、時間帯計算部１２が処理することができる。
【００５０】
図６は、時間帯選択部による注文者端末機の表示の例を示す図である。配送業者データ１８及び調理業者データ１７が図４（Ａ）及び図５（Ａ）に示す状態の時、時間帯選択部１３は、注文者Ａの注文者端末機２には図６（Ａ）の内容を、注文者Ｂの注文者端末機２には図６（Ｂ１）の内容を、それぞれ表示する。配送業者データ１８及び調理業者データ１７の双方において予約され、希望があれば配送が可能な時間帯のみを示している。
【００５１】
ここで、時間帯選択部１３が時間帯計算部１２と同様の処理を行う（又は時間帯計算部１２が時間帯選択部１３の機能を合わせ持つ）ならば、問題なく処理される。一方、時間帯選択部１３が配送業者データ１８及び調理業者データ１７のみに基づいて注文者端末機２の表示を行う場合、注文者Ｂについて、配送業者データ１８には予約のある１８：００〜１８：３０及び１８：３０〜１９：００の時間帯について、その時間帯に配送するための調理業者データ１７の予約がないので注文者端末機２に表示しないという処理をすることが容易ではない。これを容易かつ確実にするため、時間帯計算部１２が調理業者データ１７の予約がない時間帯については配送業者データ１８にその旨を表す情報（図４（Ａ）において「＊」で示す）を付し、時間帯選択部１３が配送業者データ１８に基づいて注文者端末機２の表示を行うこととしてもよい。
【００５２】
以上の、時間帯計算部１２が配送業者データ１８において実際に配送可能な時間帯を示す処理は、調理業者データ１７の予約の有無に限らず、他の場合、例えば１台の配送車が２以上の注文者に配送する場合の配送順序と配送時間の関係（配送車Ｘが注文者Ａと注文者Ｂとにこの順に配送する場合の、各々の注文者への配送時間帯）についても行うことが好ましい。また、これを確実にするため、配送業者データ１８とは別に注文者別の配送可能時間帯データを保持してもよい。
【００５３】
時間帯選択部１３が注文者Ａ及びＢの注文者端末装置２に表示を行った後に、注文者Ａが、配送時間として１８：３０〜１９：００を選択したとする。
【００５４】
時間帯選択部１３は、配送業者データ１８の注文者Ａに係る内容を更新する。１８：３０〜１９：００の配送時間の「予約」を「確定」とし、注文者Ａに係る他の予約を取り消す。
【００５５】
その後に、時間帯計算部１２が、更新された配送業者データ１８に基づいて調理業者データ１７を更新し、必要に応じて配送業者データ１８をさらに更新する。図４（Ｂ）は更新された配送業者データ１８を、図５（Ｂ）は更新された調理業者データ１７を示す。
【００５６】
時間帯選択部１３は、配送時間が指定されたことを注文送信部１５に伝達する。注文送信部１５は、調理業者データ１７及び配送業者データ１８から確定した内容を読み取り（又は、時間帯計算部１２若しくは時間帯選択部１３からその情報を受けて、１７：３０〜１８：００の間に調理人Ｐがピザを調理すべきこと及び１８：００〜１８：３０の間にオーブンがピザを焼くべきことを調理業者端末機３に表示し、１８：３０〜１９：００の間に配送車Ｘがピザを注文者Ａに配送すべきことを配送業者端末機４に表示する。
【００５７】
調理業者及び配送業者は、その表示に従って作業する。これにより、調理直後の冷めていないピザが、注文者Ａの希望する時間帯に配送される。
【００５８】
図４（Ｂ）の更新された配送業者データ１８に基づき、時間帯選択部１３は、図６（Ｂ２）の表示を注文者Ｂの注文者端末機２に行うことができる。図６（Ｂ１）と比較して、１８：００〜１８：３０が選択可能な配送時間帯に追加されている。
【００５９】
このように、１の注文者（Ａ）が配送時間帯を選択し予約を確定させることによって、他の注文者（Ｂ）の選択可能な配送時間帯が追加されることが、配送に特徴的なことである。（例えばコンサートのチケットの予約システムであれば、他の注文者の選択肢が拡がることはキャンセルの場合のみと考えられる。）
【００６０】
特に、本実施例の料理配送予約システム１においては、配送業者のみならず調理業者に係る制約もあるため、１の注文者予約を確定させることによって他の注文者（Ｂ）の選択肢が拡がる可能性が大きい。この点が、本発明を特徴付ける。
【００６１】
ここで、時間帯計算部１２が更新された配送業者データ１８に基づいて調理業者データ１７を更新すること、及び、時間帯選択部１３が更新された配送業者データ１８に基づき注文者端末機２に表示を行うこと、については、注文者Ａが予約を確定させた直後に行うことができる。
【００６２】
このため、時間帯選択部１３が予約が確定したことを再起動判定部１４に伝達し、再起動判定部１４が時間帯計算部１２及び時間帯選択部１３を再起動してもよい。
【００６３】
再起動判定部１４は、予約が確定したタイミング以外のタイミングで時間帯計算部１２及び時間帯選択部１３を再起動することも考えられる。例えば、時間帯選択部１３が配送可能時間帯を表示した後、２分、３分等（ただし５分以下）の周期的なタイミングとする。注文者の人数が多い場合に、配送可能時間帯が頻繁に表示し直されてしまうことを防ぐことができる。このため、時間帯選択部１３が配送可能時間帯を表示したことを再起動判定部１４に伝達し、再起動判定部１４がその後の時間を計時してもよい。
【００６４】
なお、時間帯選択部１３による配送可能時間帯の表示を、時間帯選択部１３の再起動時でなく、注文者端末機２からの表示要求を受けた時としてもよい。時間帯選択部１３は、再起動されても、注文者端末機２からの表示要求を受けるまで配送可能時間帯の表示をしない。配送可能時間帯が頻繁に表示し直されてしまうことを防ぎつつ、注文者の希望する時に表示することができる。この場合、再起動判定部１４は、予約が確定した都度時間帯計算部１２及び時間帯選択部１３を再起動して調理業者データ１７及び配送業者データ１８を最新の状況に保つことが好ましい。いつ表示要求を受けても最新の状況に基づいて配送可能時間帯を表示するためである。
【００６５】
以下、上述の注文者Ａ、注文者Ｂによる注文の後（かつ注文者Ａによる注文確定の前）に、注文者Ｃが、１８：００〜１９：００の間にパスタを配送する旨の注文を行ったものとする。
【００６６】
パスタはオーブンを使用せずに調理でき、調理業者データ１７としては、調理人のみの制約となる。図７は、配送業者データの例を示す図である。図８は、調理業者データの例を示す図である。図７（Ａ）及び図８（Ａ）においては、注文者Ｃの注文については「予約」がなく、「希望」のみである。
【００６７】
図９は、時間帯選択部による注文者端末機の表示の例を示す図である。図７（Ａ）及び図８（Ａ）に対応する図９（Ｃ１）においては、注文者Ｃの注文に対応できない旨が表示されている。
【００６８】
その後、注文者Ａが配送時間帯を確定すると、図７（Ｂ）及び図８（Ｂ）に示すように、１８：００〜１８：３０の配送時間帯で注文者Ｃの注文に対応できるようになり、図９（Ｃ２）に示す表示がなされる。（１７：３０〜１８：００における調理人Ｑに係る注文者Ｂの予約が、１８：００〜１８：３０におけるオーブンの予約が不可能になったために取り消されるためである。）
【００６９】
以上のように、本実施例の料理配送予約システム１は、配送業者による配送の可否のみならず、調理業者による調理の可否をも判断して処理することができる。また、１の注文者の配送時間帯が変更されることにより、他の注文者の配送可能時間帯が拡張されることに関し、他の注文者に拡張された配送可能時間帯を提示することができる。
【００７０】
ここで、先に注文した注文者（本実施例では注文者Ａ）が、長時間にわたり配送時間帯を確定しない場合には、「予約」によって他の注文者の受ける制約が大きい。時間帯選択部１３が配送可能時間帯を表示した後、例えば１０分の所定の時間内に配送時間帯の選択を行わない場合には、注文をキャンセル（調理業者データ１７及び配送業者データ１８から削除）して、他の注文者の受ける制約を軽減することが好ましい。
【００７１】
ここで、上述の「予約」「希望」「確定」を行うアルゴリズムは一例であり、本発明はこのアルゴリズムに限定されない。「予約」によって他の注文者の受ける制約があるところを、「確定」によって他の注文者の受ける制約が緩和されることに対応することが、本発明の本質である。
【産業上の利用可能性】
【００７２】
配送業者による配送の可否のみならず、調理業者による調理の可否をも判断して、注文後に調理業者によって調理され、配送業者によって配送される料理の配送を予約する料理配送予約システムである。また、１の注文者の配送時間帯が変更されることにより、他の注文者の配送可能時間帯が変動すること、特に他の注文者の配送可能時間帯が拡張されることに関し、他の注文者に拡張された配送可能時間帯を提示することができる。多くの調理業者及び配送業者による利用が考えられる。また、料理が冷めずに配送されるので、多くの注文者による利用も考えられる。
【符号の説明】
【００７３】
１    料理配送予約システム
１１  料理選択部
１２  時間帯計算部
１３  時間帯選択部
１４  再起動判定部
１５  注文送信部
１６  料理データ
１７  調理業者データ
１８  配送業者データ
２    注文者端末機
３    調理業者端末機
４    配送業者端末機
【図１】
2020060934.tif 000003
【図２】
2020060934.tif 000004
【図３】
2020060934.tif 000005
【図４】
2020060934.tif 000006
【図５】
2020060934.tif 000007
【図６】
2020060934.tif 000008
【図７】
2020060934.tif 000009
【図８】
2020060934.tif 000010
【図９】
2020060934.tif 000011
【手続補正書】
【提出日】令和1年5月26日(2019.5.26)
【手続補正１】
【補正対象書類名】特許請求の範囲
【補正対象項目名】全文
【補正方法】変更
【補正の内容】
【特許請求の範囲】
【請求項１】
注文後に調理業者によって調理され、配送業者によって配送される料理の配送を予約す
る料理配送予約システムであって、
注文する料理を選択する料理選択部と、
選択された前記料理について、前記調理業者に係る制約と前記配送業者に係る制約とに
基づいて配送可能時間帯を求める時間帯計算部と、
前記配送可能時間帯を注文者端末機に表示して注文者に配送時間帯の選択を求める時間
帯選択部とを備え、
前記調理業者に係る前記制約は、前記調理業者の厨房機器の利用可能性及び前記調理業
者の調理人のスケジュールを含み、
各々の注文者について、前記時間帯計算部及び前記時間帯選択部を、所定のタイミング
で再起動することを特徴とする、料理配送予約システム。
【請求項２】
前記所定のタイミングは、最初の前記表示の後、５分以下の時間長の周期的なタイミン
グを含むことを特徴とする、請求項１に記載の料理配送予約システム。
【請求項３】
前記所定のタイミングは、各々の注文者以外の注文者による前記配送時間帯の選択の行
われたタイミングを含むことを特徴とする、請求項１又は２に記載の料理配送予約システ
ム。
【請求項４】
前記時間帯選択部は、前記注文者端末機からの表示要求を受けて前記配送可能時間帯を
前記注文者端末機に表示し、再起動から前記表示要求までの間は前記配送可能時間帯の表
示を更新しないことを特徴とする、請求項１〜３のいずれか１項に記載の料理配送予約シ
ステム。
【請求項５】
注文者が前記表示の後所定の時間内に前記配送時間帯の選択を行わない場合には、当該
注文者の注文をキャンセルすることを特徴とする、請求項１〜４のいずれか１項に記載の
料理配送予約システム。
【請求項６】
前記配送業者に係る前記制約は、前記配送業者の配送車両のスケジュール及び前記注文
者に依存する配送先の地理的位置を含むことを特徴とする、請求項１〜５のいずれか１項
に記載の料理配送予約システム。